(57)【要約】【課題】画像形成装置の状態に応じた適切な情報を、画像形成装置から情報処理装置に送信する技術を提供すること。【解決手段】モバイル端末１１０と通信を行うＭＦＰ１４０であって、モバイル端末１１０がＭＦＰ１４０から予め定められた範囲内にある場合に、モバイル端末１１０と通信を行うＮＦＣ  Ｉ／Ｆ部１４１と、ＭＦＰ１４０の状態に応じて、ＮＦＣ  Ｉ／Ｆ部１４１を介してモバイル端末１１０に送信する情報を変える制御部とを備えることを特徴とする。【選択図】図１
2018052002.tif 000002
【特許請求の範囲】
【請求項１】
情報処理装置と通信を行う画像形成装置であって、
前記情報処理装置が前記画像形成装置から予め定められた範囲内にある場合に、前記情報処理装置と通信を行う通信インターフェース部と、
前記画像形成装置の状態に応じて、前記通信インターフェース部を介して前記情報処理装置に送信する情報を変える制御部と、を備えること
を特徴とする画像形成装置。
【請求項２】
前記制御部は、
前記情報処理装置が前記画像形成装置から前記予め定められた範囲内にあるか否かを検知する検知部と、
前記情報処理装置が前記画像形成装置から前記予め定められた範囲内にあると前記検知部が検知した場合に、前記通信インターフェース部を介して前記情報処理装置にアクセスして、前記情報処理装置の状態を特定する特定部と、
前記情報処理装置の状態及び前記画像形成装置の状態に対応する情報を、前記通信インターフェース部を介して、前記情報処理装置に送信する送信部と、を備えること
を特徴とする請求項１に記載の画像形成装置。
【請求項３】
前記特定部は、前記情報処理装置の状態として、前記情報処理装置におけるアプリケーションの動作状況を特定すること
を特徴とする請求項２に記載の画像形成装置。
【請求項４】
前記特定部は、前記アプリケーションの動作状況として、前記情報処理装置の第１の表示部の最前面に表示されているアプリケーションを特定すること
を特徴とする請求項３に記載の画像形成装置。
【請求項５】
画面画像を表示する第２の表示部をさらに備え、
前記送信部は、前記画像形成装置の状態として、前記第２の表示部に表示されている画面画像を特定すること
を特徴とする請求項２から４の何れか一項に記載の画像形成装置。
【請求項６】
前記情報処理装置が前記画像形成装置から前記予め定められた範囲内にある場合に、前記情報処理装置が、前記通信インターフェース部を介してアクセスすることのできる記憶部をさらに備え、
前記制御部は、前記画像形成装置の状態に応じて、前記記憶部に記憶する情報を変えること
を特徴とする請求項１に記載の画像形成装置。
【請求項７】
画面画像を表示する表示部をさらに備え、
前記制御部は、前記画像形成装置の状態として、前記表示部に表示されている画面画像を特定すること
を特徴とする請求項６に記載の画像形成装置。
【請求項８】
情報処理装置、及び、当該情報処理装置と通信を行う画像形成装置を備える通信システムであって、
前記画像形成装置は、
前記情報処理装置が前記画像形成装置から予め定められた範囲内にある場合に、前記情報処理装置と通信を行う通信インターフェース部と、
前記画像形成装置の状態に応じて、前記通信インターフェース部を介して前記情報処理装置に送信する情報を変える制御部と、を備えること
を特徴とする通信システム。
【発明の詳細な説明】
【技術分野】
【０００１】
本発明は、画像形成装置及び通信システムに関し、特に、情報処理装置と通信する画像形成装置及びそのような画像形成装置を備える通信システムに関する。
【背景技術】
【０００２】
ＮＦＣ（Ｎｅａｒ  Ｆｉｅｌｄ  Ｃｏｍｍｕｎｉｃａｔｉｏｎ）方式の無線通信を利用して、情報処理装置と通信する携帯端末（モバイル端末）がある。例えば、特許文献１に記載のＮＦＣデバイスは、情報処理装置に対するデータの読み出し又は書き込みの要求を通信端末から受信すると、省電力状態の情報処理装置に起動を要求する。
【先行技術文献】
【特許文献】
【０００３】
【特許文献１】特開２０１１−０４４０９２号公報
【発明の概要】
【発明が解決しようとする課題】
【０００４】
従来の技術では、ＮＦＣデバイスは、省電力状態の情報処理装置に起動を要求するようになっているが、装置の状態に応じた適切な情報をＮＦＣデバイスに送信するようにはなっていない。
【０００５】
そこで、本発明は、画像形成装置の状態に応じた適切な情報を、画像形成装置から情報処理装置に送信する技術を提供することを目的とする。
【課題を解決するための手段】
【０００６】
本発明の一態様に係る画像形成装置は、情報処理装置と通信を行う画像形成装置であって、前記情報処理装置が前記画像形成装置から予め定められた範囲内にある場合に、前記情報処理装置と通信を行う通信インターフェース部と、前記画像形成装置の状態に応じて、前記通信インターフェース部を介して前記情報処理装置に送信する情報を変える制御部と、を備えることを特徴とする。
【０００７】
本発明の一態様に係る通信システムは、情報処理装置、及び、当該情報処理装置と通信を行う画像形成装置を備える通信システムであって、前記画像形成装置は、前記情報処理装置が前記画像形成装置から予め定められた範囲内にある場合に、前記情報処理装置と通信を行う通信インターフェース部と、前記画像形成装置の状態に応じて、前記通信インターフェース部を介して前記情報処理装置に送信する情報を変える制御部と、を備えることを特徴とする通信システム。
【発明の効果】
【０００８】
本発明の一態様によれば、画像形成装置の状態に応じた適切な情報を、画像形成装置から情報処理装置に送信する技術を提供することができる。
【図面の簡単な説明】
【０００９】
【図１】実施の形態１に係る通信システムの概略図である。
【図２】実施の形態１におけるモバイル端末の構成を概略的に示すブロック図である。
【図３】実施の形態１における認証ＡＰ用領域、操作ガイドＡＰ用領域及びかざして印刷ＡＰ用領域の内部構造を示す概略図である。
【図４】実施の形態１における端末情報書込領域の内部構造を示す概略図である。
【図５】実施の形態１におけるＡＰ固有情報の内部構造を示す概略図である。
【図６】実施の形態１におけるＡＰ固有情報に含まれる１つのレコードの構造を示す概略図である。
【図７】実施の形態１における装置情報書込領域の内部構造を示す概略図である。
【図８】実施の形態１におけるモバイル端末のＡＩＤ定義テーブルを示す概略図である。
【図９】実施の形態１における印刷画像の概略図である。
【図１０】実施の形態１におけるＩＣカード情報登録説明画面画像の概略図である。
【図１１】実施の形態１におけるコピー操作説明画面画像の概略図である。
【図１２】実施の形態１におけるメニュー変更画面画像の概略図である。
【図１３】（Ａ）及び（Ｂ）は、ハードウェア例を示すブロック図である。
【図１４】実施の形態１におけるＭＦＰの構成を概略的に示すブロック図である。
【図１５】実施の形態１における記憶部に記憶されている情報を示す概略図である。
【図１６】実施の形態１におけるＷｉＦｉ接続情報の内部構造を示す概略図である。
【図１７】実施の形態１におけるＵＲＬ情報の内容構造を示す概略図である。
【図１８】実施の形態１におけるＭＦＰのＡＩＤ定義テーブルを示す概略図である。
【図１９】実施の形態１におけるパネルロック画面画像の概略図である。
【図２０】実施の形態１におけるコピー待機画面画像の概略図である。
【図２１】実施の形態１におけるメニュー設定変更画面画像の概略図である。
【図２２】実施の形態１におけるモバイル端末及びＭＦＰ間のそれぞれの状態による第１の動作マトリクスを示す概略図である。
【図２３】実施の形態１におけるモバイル端末及びＭＦＰ間のそれぞれの状態による第２の動作マトリクスを示す概略図である。
【図２４】実施の形態１におけるモバイル端末及びＭＦＰ間のそれぞれの状態による第３の動作マトリクスを示す概略図である。
【図２５】実施の形態１におけるＡＰ制御部が認証ＡＰをインストールする処理を示すフローチャートである。
【図２６】実施の形態１におけるＡＰ制御部が操作ガイドＡＰをインストールする処理を示すフローチャートである。
【図２７】実施の形態１におけるＡＰ制御部がかざして印刷ＡＰをインストールする処理を示すフローチャートである。
【図２８】実施の形態１における操作ガイドＡＰがユーザによって起動されたときにＡＰ制御部が行なう処理を示すフローチャートである。
【図２９】実施の形態１におけるかざして印刷ＡＰがユーザによって起動されたときにＡＰ制御部が行なう処理を示すフローチャートである。
【図３０】実施の形態１におけるＡＰ制御部が行なう表示ＡＰ切替処理を示すフローチャートである。
【図３１】実施の形態１におけるＭＦＰの情報初期化部が電源投入時等に行なう初期化処理を示すフローチャートである。
【図３２】実施の形態１におけるＭＦＰのメニュー項目管理部が行なうＷｉＦｉ設定変更処理を示すフローチャートである。
【図３３】実施の形態１におけるＭＦＰの画面表示制御部が行なう画面画像表示切替処理を示すフローチャートである。
【図３４】実施の形態１におけるＭＦＰの端末情報制御部が行なうメイン処理を示すフローチャートである。
【図３５】実施の形態１における認証ＡＰ動作中判定処理を示すフローチャートである。
【図３６】実施の形態１における情報転送対象ＡＰ判定処理を示すフローチャートである。
【図３７】実施の形態１における個別ＡＰ最前面表示判定処理を示すフローチャートである。
【図３８】実施の形態１における認証ＡＰ用領域への書込処理を示すフローチャートである。
【図３９】実施の形態１における操作ガイドＡＰ用領域への書込処理を示すフローチャートである。
【図４０】実施の形態１におけるかざして印刷ＡＰ用領域への書込処理を示すフローチャートである。
【図４１】実施の形態１におけるＡＰ制御部が行なうイベント待機処理を示すフローチャートである。
【図４２】実施の形態１における認証ＡＰ処理を示すフローチャートである。
【図４３】実施の形態１における操作ガイドＡＰ処理を示すフローチャートである。
【図４４】実施の形態１におけるかざして印刷ＡＰ処理を示すフローチャートである。
【図４５】実施の形態２に係る通信システムの概略図である。
【図４６】実施の形態２におけるモバイル端末の構成を概略的に示すブロック図である。
【図４７】実施の形態２における制御情報の内部構造を示す概略図である。
【図４８】実施の形態２におけるＭＦＰの構成を概略的に示すブロック図である。
【図４９】実施の形態２におけるＮＦＣタグの内部構造を示す概略図である。
【図５０】実施の形態２におけるＮＦＣタグに含まれる１つのレコードの構造を示す概略図である。
【図５１】実施の形態２におけるモバイル端末及びＭＦＰ間のそれぞれの状態による第１の動作マトリクスを示す概略図である。
【図５２】実施の形態２におけるモバイル端末及びＭＦＰ間のそれぞれの状態による第２の動作マトリクスを示す概略図である。
【図５３】実施の形態２におけるＭＦＰの情報初期化部が電源投入時等に行なう初期化処理を示すフローチャートである。
【図５４】実施の形態２におけるＭＦＰのメニュー項目管理部が行なうＷｉＦｉ設定変更処理を示すフローチャートである。
【図５５】実施の形態２におけるＭＦＰの画面表示制御部が行なう画面画像表示切替処理を示すフローチャートである。
【図５６】実施の形態２におけるモバイル端末のＮＦＣタグ検出部が電源投入時に行なう初期化処理を示すフローチャートである。
【図５７】実施の形態２におけるモバイル端末のＡＰ制御部が行なう表示ＡＰ切替処理を示すフローチャートである。
【図５８】実施の形態２におけるＮＦＣタグ検出部が実行するメイン処理を示すフローチャートである。
【図５９】実施の形態２における操作ガイドＡＰ用のコールバック処理を示すフローチャートである。
【図６０】実施の形態２におけるかざして印刷ＡＰ用のコールバック処理を示すフローチャートである。
【発明を実施するための形態】
【００１０】
実施の形態１．
図１は、実施の形態１に係る通信システム１００の概略図である。
通信システム１００は、情報処理装置としてのモバイル端末１１０と、モバイル端末１１０と通信を行う画像形成装置としてのＭＦＰ（Ｍｕｌｔｉ  Ｆｕｎｃｔｉｏｎ  Ｐｅｒｉｐｈｅｒａｌ）１４０とを備える。
モバイル端末１１０は、ＮＦＣ  Ｉ／Ｆ部１１１と、無線ＬＡＮ（Ｌｏｃａｌ  Ａｒｅａ  Ｎｅｗｏｒｋ）  Ｉ／Ｆ部１１２とを備える。
ＭＦＰ１４０は、ＮＦＣ  Ｉ／Ｆ部１４１と、無線ＬＡＮ  Ｉ／Ｆ部１４２とを備える。
【００１１】
ＮＦＣ  Ｉ／Ｆ部１１１及びＮＦＣ  Ｉ／Ｆ部１４１は、ＮＦＣ規格に従ったＮＦＣ方式の無線通信１０１を実行する為のインターフェースである。以下、ＮＦＣ  Ｉ／Ｆ部１１１を第１の通信インターフェース部、ＮＦＣ  Ｉ／Ｆ部１４１を第２の通信インターフェース部ともいう。
無線ＬＡＮ  Ｉ／Ｆ部１１２及び無線ＬＡＮ  Ｉ／Ｆ部１４２は、ＷｉＦｉ（Ｗｉｒｅｌｅｓｓ  Ｆｉｄｅｌｉｔｙ）規格に従って、無線ＬＡＮを介してインターネットに接続する為のインターフェースである。以下、無線ＬＡＮ  Ｉ／Ｆ部１１２を第３の通信インターフェース部、無線ＬＡＮ  Ｉ／Ｆ部１４２を第４の通信インターフェース部ともいう。
【００１２】
ＭＦＰ１４０の無線ＬＡＮ  Ｉ／Ｆ部１４２は、ＷｉＦｉダイレクト方式をサポートしており、アクセスポイントを経由せずに、対象デバイスとのＰ２Ｐ（Ｐｅｅｒ  ｔｏ  Ｐｅｅｒ）の無線ＬＡＮ通信１０２を実現することができる。
また、実施の形態１では、ＮＦＣ通信上、ＭＦＰ１４０が情報のＲｅａｄ及びＷｒｉｔｅを行なうＲｅａｄｅｒ／Ｗｒｉｔｅｒとして機能する。
【００１３】
図２は、モバイル端末１１０の構成を概略的に示すブロック図である。
モバイル端末１１０は、ＮＦＣ  Ｉ／Ｆ部１１１と、無線ＬＡＮ  Ｉ／Ｆ部１１２と、表示部１１３と、入力部１１４と、制御部１２０と、記憶部としてのＮＤＥＦ（ＮＦＣ  Ｄａｔａ  Ｅｘｃｈａｎｇｅ  Ｆｏｒｍａｔ）メッセージ領域１３０とを備える。
【００１４】
表示部１１３は、モバイル端末１１０において、各種画像を表示する。以下、表示部１１３を第１の表示部ともいう。
入力部１１４は、ユーザからの指示の入力を受け付ける。
【００１５】
制御部１２０は、ＡＰ制御部１２１と、認証ＡＰ１２２と、操作ガイドＡＰ１２３と、かざして画像形成ＡＰとしてのかざして印刷ＡＰ１２４とを備える。
実施の形態１では、モバイル端末１１０上に３種類のアプリケーション（以下、ＡＰという）が動作可能である。３種類のＡＰは、認証ＡＰ１２２、操作ガイドＡＰ１２３及びかざして印刷ＡＰ１２４であるものとする。そして、制御部１２０には、これらの３種類のＡＰを統括的に管理するＡＰ制御部１２１が存在する。
【００１６】
ＮＤＥＦメッセージ領域１３０は、ＭＦＰ１４０からＮＦＣ  Ｉ／Ｆ部１１１を介して、読み出し及び書き込みがされるデータ領域として機能する。
また、ＮＤＥＦメッセージ領域１３０は、ＡＰ毎に領域が区切られている。実施の形態１においては、ＮＤＥＦメッセージ領域１３０には、認証ＡＰ１２２の為のＮＤＥＦメッセージ領域である認証ＡＰ用領域１３１と、操作ガイドＡＰ１２３の為のＮＤＥＦメッセージ領域である操作ガイドＡＰ用領域１３２と、かざして印刷ＡＰ１２４の為のＮＤＥＦメッセージ領域であるかざして印刷ＡＰ用領域１３３とが存在している。それぞれのＡＰ用ＮＤＥＦメッセージ領域は、実施の形態１においては４ＫＢとする。
【００１７】
図３は、ＡＰ毎のＮＤＥＦメッセージ領域として機能する認証ＡＰ用領域１３１、操作ガイドＡＰ用領域１３２及びかざして印刷ＡＰ用領域１３３の内部構造を示す概略図である。
ここで、認証ＡＰ用領域１３１、操作ガイドＡＰ用領域１３２及びかざして印刷ＡＰ用領域１３３は、全て同じ構造であるため、以下では、ＡＰ用ＮＤＥＦメッセージ領域１０として、説明する。
【００１８】
ＡＰ用ＮＤＥＦメッセージ領域１０は、モバイル端末１１０が書き込み、ＭＦＰ１４０が読み取る為の端末情報書込領域１１と、ＭＦＰ１４０が書き込み、モバイル端末１１０が読み取る装置情報書込領域１２とを備える。実施の形態１においては、それぞれは、２ＫＢであるものとする。
【００１９】
図４は、端末情報書込領域１１の内部構造を示す概略図である。
端末情報書込領域１１には、ＡＰ状態情報１３と、表示状態情報１４と、ＡＰ固有情報１５とが記憶される。
ＡＰ状態情報１３が記憶される領域は、実施の形態１では、１６バイト長の領域である。ＡＰ状態情報１３は、「０」であればインストール済みであるが動作していない状態を示し、「１」であれば該当ＡＰがインストールされ、且つ、起動中であることを示す。
表示状態情報１４が記憶される領域は、実施の形態１では、１６バイト長の領域である。表示状態情報１４は、「０」であれば起動されているがモバイル端末１１０の画面画像の最前面に表示されていない状態を示し、「１」であれば起動されており、且つ、モバイル端末１１０の画面画像の最前面に表示されている状態を示す。表示状態情報１４の情報は、ＡＰ状態情報１３の値が「０」のときは意味を持たない。
ＡＰ固有情報１５が記憶される領域は、各ＡＰが自由に使用出来る領域である。
【００２０】
図５は、ＡＰ固有情報１５の内部構造を示す概略図である。
実施の形態１では、認証ＡＰ１２２のみがＡＰ固有情報１５を使用する。
ＡＰ固有情報１５は、図示の通り、Ｎ個の可変長のレコードを含む（Ｎは、１以上の整数）。１つのレコードの構造は、図６に示されているように、先頭２バイトが以降に連続する情報１７のバイト長１６となっている。図５では、第１レコード１５ａ、第２レコード１５ｂ、第３レコード１５ｃ、・・・が記載されているが、レコードの数は、ＡＰにより異なる。
【００２１】
図７は、装置情報書込領域１２の内部構造を示す概略図である。
装置情報書込領域１２は、図示の通りＭ個の可変長レコードを含む（Ｍは、１以上の整数）。１つのレコードの構造は、前述の図６で示されているとおりである。
装置情報書込領域１２に書き込まれる情報は、ＡＰ毎に異なっている。また、図７では、第１レコード１２ａ、第２レコード１２ｂ、第３レコード１２ｃ、・・・が記載されているが、レコードの数は、ＡＰにより異なる。
【００２２】
認証ＡＰ用領域１３１の装置情報書込領域１２では、第１レコード１２ａのみが使用される。この第１レコード１２ａには、ＭＦＰ１４０での認証操作に失敗した場合に限りＭＦＰ１４０からＵＲＬ情報が書き込まれる。
操作ガイドＡＰ用領域１３２内の装置情報書込領域１２では、第１レコード１２ａにはＭＦＰ１４０からＵＲＬ情報が書き込まれる。第２レコード１２ｂ〜第５レコードまでは書き込まれる場合と書き込まれない場合があり、書き込まれる場合は、これらにモバイル端末１１０からＭＦＰ１４０へＷｉＦｉ接続する為に必要な情報が書き込まれる。
かざして印刷ＡＰ用領域１３３内の装置情報書込領域１２では、第１レコード１２ａ〜第４レコードに、モバイル端末１１０からＭＦＰ１４０へＷｉＦｉ接続する為に必要な情報がＭＦＰ１４０から書き込まれる。但し、書き込まれない場合もある。
【００２３】
図８は、モバイル端末１１０のＮＦＣ  Ｉ／Ｆ部１１１内で管理されるＡＩＤ定義テーブル２０を示す概略図である。
ＡＩＤ定義テーブル２０は、ＡＩＤ列２１と、アドレス列２２とを有する。
ＡＩＤ列２１は、ＡＰ毎にＡＩＤ（Ａｐｐｌｉｃａｔｉｏｎ  ＩＤ）と呼ばれる固有のＩＤを格納する。
アドレス列２２は、ＮＤＥＦメッセージ領域１３０において、それぞれのＡＩＤ毎に対応付けられている領域を示すアドレスを格納する。
【００２４】
尚、実施の形態１では、モバイル端末１１０のＮＦＣ  Ｉ／Ｆ部１１１は、メモリ１１１ａを備えており、そのメモリ１１１ａにＡＩＤ定義テーブル２０が記憶されているものとする。
【００２５】
図９は、かざして印刷ＡＰ１２４が表示部１１３に表示させる印刷画像（形成画像）ＩＭ１の概略図である。ユーザは、モバイル端末１１０に記憶されている画像データの画像を印刷したい場合、かざして印刷ＡＰ１２４を起動し、表示部１１３に印刷画像ＩＭ１を表示させて、ＭＦＰ１４０の図示しないモバイル端末検知領域にモバイル端末１１０をかざすだけで印刷結果を取得することが出来る。
【００２６】
図１０は、認証ＡＰ１２２が表示部１１３に表示させるＩＣカード情報登録説明画面画像ＩＭ２の概略図である。ユーザがＭＦＰ１４０の図示しないモバイル端末検知領域にモバイル端末１１０をかざした際に、認証に失敗すると、この画像ＩＭ２が表示部１１３に表示される。
【００２７】
図１１は、操作ガイドＡＰ１２３が表示部１１３に表示させるコピー操作説明画面画像ＩＭ３の概略図である。
また、図１２は、操作ガイドＡＰ１２３が表示部１１３に表示させるメニュー変更画面画像ＩＭ４の概略図である。
ユーザがＭＦＰ１４０の図示しないモバイル端末検知領域にモバイル端末１１０をかざすと、その時のＭＦＰ１４０の状態によって、コピー操作説明画面画像ＩＭ３及びメニュー変更画面画像ＩＭ４の何れが表示される。
【００２８】
以上に記載された制御部１２０の一部又は全部は、例えば、図１３（Ａ）に示されているように、メモリ１９０と、メモリ１９０に格納されているプログラムを実行するＣＰＵ（Ｃｅｎｔｒａｌ  Ｐｒｏｃｅｓｓｉｎｇ  Ｕｎｉｔ）等のプロセッサ１９１とにより構成することができる。このようなプログラムは、ネットワークを通じて提供されてもよく、また、記録媒体に記録されて提供されてもよい。
【００２９】
また、制御部１２０の一部又は全部は、例えば、図１３（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１９２で構成することもできる。
【００３０】
図１４は、ＭＦＰ１４０の構成を概略的に示すブロック図である。
ＭＦＰ１４０は、ＮＦＣ  Ｉ／Ｆ部１４１と、無線ＬＡＮ  Ｉ／Ｆ部１４２と、制御部１５０と、記憶部１７０と、操作部１８０と、印刷部１８１とを備える。
【００３１】
制御部１５０は、ＭＦＰ１４０での処理を制御する。例えば、制御部１５０は、ＭＦＰ１４０の状態に応じて、ＮＦＣ  Ｉ／Ｆ部１４１を介してＭＦＰ１４０に送信する情報を変える。
制御部１５０は、端末検知部１５１と、動作状況特定部１５２と、書込部１５３と、端末情報制御部１５４と、情報初期化部１５５と、メニュー項目管理部１５６と、画面表示制御部１５７と、Ｗｅｂサーバ部１５８と、印刷制御部１５９とを備える。
【００３２】
端末検知部１５１は、モバイル端末１１０がＭＦＰ１４０から予め定められた範囲内にあるか否かを検知する検知部である。例えば、端末検知部１５１は、ＮＦＣ  Ｉ／Ｆ部１４１を介して、モバイル端末１１０がＭＦＰ１４０の図示しないカード及び端末検知エリアにかざされたことを検知する。
【００３３】
動作状況特定部１５２は、モバイル端末１１０がＭＦＰ１４０から予め定められた範囲内にあると端末検知部１５１が検知した場合に、ＮＦＣ  Ｉ／Ｆ部１４１を介してモバイル端末１１０にアクセスして、モバイル端末１１０の状態を特定する特定部である。例えば、動作状況特定部１５２は、ＮＦＣ  Ｉ／Ｆ部１４１を介して、モバイル端末１１０内の情報の読み出しを行ない、モバイル端末１１０におけるＡＰの動作状況を特定する。具体的には、動作状況特定部１５２は、モバイル端末１１０の表示部１１３の最前面に表示されているＡＰを特定する。
【００３４】
書込部１５３は、モバイル端末１１０の状態及びＭＦＰ１４０の状態に対応する情報を、ＮＦＣ  Ｉ／Ｆ部１４１を介してモバイル端末１１０に送信する送信部である。例えば、書込部１５３は、ＮＦＣ  Ｉ／Ｆ部１４１を介して、モバイル端末１１０内に情報を書き込む。また、書込部１５３は、記憶部１７０に記憶されている、ＭＦＰ１４０内の状態を管理する情報を参照する。具体的には、書込部１５３は、ＭＦＰ１４０の操作部１８０に表示されている画面画像を特定し、特定された画面画像及び動作状況特定部１５２で特定されたＡＰの動作状況（最前面に表示されているＡＰ）に対応する情報を、ＮＦＣ  Ｉ／Ｆ部１４１を介してＮＤＥＦメッセージ領域１３０に書き込む。
端末情報制御部１５４は、端末検知部１５１、動作状況特定部１５２及び書込部１５３を制御する。
【００３５】
情報初期化部１５５は、記憶部１７０の情報を初期化する。
メニュー項目管理部１５６は、記憶部１７０の情報を参照して、ＭＦＰ１４０内の各種パラメータ（メニュー）項目を変更する。
画面表示制御部１５７は、ユーザとのＵＩを実現する操作部１８０を制御する。画面表示制御部１５７は、操作部１８０に入力されたユーザからの指示等により、記憶部１７０の情報を参照し、又は、記憶部１７０に情報を書き込む。
【００３６】
Ｗｅｂサーバ部１５８は、無線ＬＡＮ  Ｉ／Ｆ部１４２を介して、Ｗｅｂページを提供する。例えば、メニュー項目管理部１５６は、Ｗｅｂサーバ部１５８が提供するＷｅｂページからアクセスされ、ユーザは、このＷｅｂページを用いることで、ＭＦＰ１４０内の各種メニュー項目を変更することが出来る。尚、Ｗｅｂサーバ部１５８は、無線ＬＡＮ  Ｉ／Ｆ部１４２から制御可能であるため、ユーザは、有線ＬＡＮを接続しなくても、無線ＬＡＮを使用してＭＦＰ１４０内のＷｅｂページを参照することが可能となる。
印刷制御部１５９は、無線ＬＡＮ  Ｉ／Ｆが印刷データ（画像形成データ）を受信した場合に、この印刷データを印刷部１８１に転送することにより印刷物（画像形成物）を出力させる画像形成制御部である。
【００３７】
記憶部１７０は、ＭＦＰ１４０での処理に必要な情報を記憶する。
図１５は、記憶部１７０に記憶されている情報を示す概略図である。
記憶部１７０は、ＷｉＦｉ接続情報３０と、ＵＲＬ情報４０と、印刷受付可否情報５０と、パネルロック中情報６０とを記憶する。
【００３８】
ＷｉＦｉ接続情報３０は、ＷｉＦｉダイレクトでＭＦＰ１４０と通信を行うために必要な情報である。
図１６は、ＷｉＦｉ接続情報３０の内部構造を示す概略図である。
ＷｉＦｉ接続情報３０は、ＷｉＦｉ有効／無効情報３１と、ＩＰアドレス３２と、ＳＳＩＤ３３と、パスワード３４と、セキュリティ種別情報３５とを有する。
ＷｉＦｉ有効／無効情報３１は、ＷｉＦｉが有効な状態であるか否か、言い換えると、ＷｉＦｉダイレクトでＭＦＰ１４０に接続することができるか否かを示す。
ＩＰアドレス３２は、ＷｉＦｉダイレクトでＭＦＰ１４０に接続する際のＩＰアドレスである。
ＳＳＩＤ３３は、ＷｉＦｉダイレクトでＭＦＰ１４０に接続する際のＳＳＩＤ（Ｓｅｒｖｉｃｅ  Ｓｅｔ  ＩＤｅｎｔｉｆｉｅｒ）である。
パスワード３４は、ＷｉＦｉダイレクトでＭＦＰ１４０に接続する際のパスワードである。
セキュリティ種別情報３５は、ＷｉＦｉダイレクトでＭＦＰ１４０に接続する際に使用される、ＷＥＰ（Ｗｉｒｅｄ  Ｅｑｕｉｖａｌｅｎｔ  Ｐｒｉｖａｃｙ）及びＷＰＡ（Ｗｉ−Ｆｉ  Ｐｒｏｔｅｃｔｅｄ  Ａｃｃｅｓｓ）等のセキュリティ種別を示す。
【００３９】
図１５に戻り、ＵＲＬ情報４０は、モバイル端末１１０に表示させるＷｅｂページのＵＲＬを含む。
図１７は、ＵＲＬ情報４０の内容構造を示す概略図である。
ＵＲＬ情報４０は、モバイル端末１１０に表示させるＷｅｂページのＵＲＬ４２と、そのＵＲＬ４２が、自機のＷｅｂサーバ部１５８が提供するＷｅｂページのＵＲＬであるか否かを区別する自機／他機情報４１とを有する。
【００４０】
図１５に戻り、印刷受付可否情報５０は、ＭＦＰ１４０が印刷の受け付けることができる状態か否かを示す画像形成受付可否情報である。例えば、印刷受付可否情報５０が「０」であれば、印刷受付不可、それが「１」であれば、印刷受付可能を示す。
パネルロック中情報６０は、操作部１８０にパネルロック画面画像が表示中か否かを示す。例えば、パネルロック中情報６０が「１」であれば、操作部１８０にパネルロック画面画像が表示されていることを示し、パネルロック中情報６０が「０」であれば、操作部１８０にパネルロック画面画像が表示されていないことを示す。
【００４１】
図１４に戻り、記憶部１７０は、さらに、ＡＩＤ定義テーブルを記憶する。記憶部１７０に記憶されているＡＩＤ定義テーブルは、端末情報制御部１５４が管理する。
図１８は、記憶部１７０に記憶されているＡＩＤ定義テーブル７０を示す概略図である。
ＡＩＤ定義テーブル７０は、ＡＩＤ列７１と、ポインタ列７２とを有する。
ＡＩＤ列７１は、モバイル端末１１０側で管理するＡＩＤ定義テーブル２０で定義されているＡＩＤと完全に一致する様に、ＡＰ毎にＡＩＤを格納する。
ポインタ列７２は、ＡＩＤ毎にどの書込み処理関数を実行するべきかを示すポインタを格納する。
【００４２】
図１４に戻り、操作部１８０は、ユーザとの間のユーザインタフェースを実現する。例えば、操作部１８０は、入力部と表示部（第２の表示部）とを備える操作パネルにより実現することができる。
図１９は、パネルロック中に操作部１８０に表示されるパネルロック画面画像８０の概略図である。このパネルロック画面画像８０が操作部１８０に表示されている時は、パネルロック中情報６０には「１」が設定され、印刷受付可否情報５０には「０」が設定される。
図２０は、操作部１８０に表示されるコピー待機画面画像８１の概略図である。パネルロックが解除され、ユーザがコピーを実行したい場合に、図示しない操作によってコピー待機画面画像８１が操作部１８０に表示される。このコピー待機画面画像８１が操作部１８０に表示されている時には、ＭＦＰ１４０は、コピーを実行することはもとより、図示しないホストＰＣからリモートで印刷データを受信して印刷することも出来る。このため、コピー待機画面画像８１は、画像形成実行待機画面画像であるともいえる。このコピー待機画面画像８１が操作部１８０に表示されている時は、印刷受付可否情報５０には「１」が設定される。
【００４３】
図２１は、操作部１８０に表示されるメニュー設定変更画面画像８２の概略図である。パネルロックが解除されて、ユーザがメニュー設定を変更したい場合に、図示しない操作によってメニュー設定変更画面画像８２が操作部１８０に表示される。実施の形態１において、このメニュー設定変更画面画像８２が操作部１８０に表示されている時は、図示しないホストＰＣからリモートで印刷データを受信出来ないものとする。よって、このメニュー設定変更画面画像８２が操作部１８０に表示されている時は、印刷受付可否情報５０には「０」が設定される。
【００４４】
印刷部１８１は、印刷制御部１５９からの指示に応じて、紙等の媒体に印刷（画像形成）を行う画像形成部である。
【００４５】
以上に記載された制御部１５０の一部又は全部は、例えば、図１３（Ａ）に示されているように、メモリ１９０と、メモリ１９０に格納されているプログラムを実行するＣＰＵ等のプロセッサ１９１とにより構成することができる。このようなプログラムは、ネットワークを通じて提供されてもよく、また、記録媒体に記録されて提供されてもよい。
【００４６】
また、制御部１５０の一部又は全部は、例えば、図１３（Ｂ）に示されているように、単一回路、複合回路、プログラム化したプロセッサ、並列プログラム化したプロセッサ、ＡＳＩＣ又はＦＰＧＡ等の処理回路１９２で構成することもできる。
【００４７】
図２２〜図２４は、実施の形態１での振る舞いを理解しやすくする為に、モバイル端末１１０及びＭＦＰ１４０間の、それぞれの状態による動作マトリクスである。この動作マトリクスに記載した振る舞いを実現する動作フローを以降に説明する。
【００４８】
実施の形態１における動作を、図面を用いて説明する。
図２５は、ＡＰ制御部１２１が認証ＡＰ１２２をモバイル端末１１０にインストールする処理を示すフローチャートである。
入力部１１４が、ユーザから、認証ＡＰ１２２をモバイル端末１１０へインストールする要求を受けると、ＡＰ制御部１２１は、先ず、ＮＤＥＦメッセージ領域１３０に認証ＡＰ用領域１３１を確保する（Ｓ１０）。
【００４９】
次に、ＡＰ制御部１２１は、確保した認証ＡＰ用領域１３１へのアドレスと、インストールした認証ＡＰ１２２に事前に埋め込まれているＡＩＤとを、ＡＩＤ定義テーブル２０に設定する（Ｓ１１）。
その後、ＡＰ制御部１２１は、認証ＡＰ用領域１３１において、端末情報書込領域１１のＡＰ状態情報１３として、起動中であることを示す「１」を書き込む（Ｓ１２）。認証ＡＰ１２２は、他のＡＰと異なりユーザによる明示的な起動操作を必要としない為、インストール時点で起動中であることを示す情報が書き込まれる。
【００５０】
次に、ＡＰ制御部１２１は、認証ＡＰ用領域１３１において、端末情報書込領域１１の表示状態情報１４として、非最前面表示であることを示す「０」を書き込む（Ｓ１３）。
次に、ＡＰ制御部１２１は、認証ＡＰ用領域１３１において、端末情報書込領域１１のＡＰ固有情報１５の第１レコード１５ａに、モバイル端末１１０固有の識別ＩＤを書き込む（Ｓ１４）。実施の形態１では、モバイル端末１１０内のＷｉＦｉ接続用のＭＡＣアドレスが書き込まれるものとする。
そして、ＡＰ制御部１２１は、認証ＡＰ用領域１３１において、装置情報書込領域１２の全ての情報をクリアする（Ｓ１５）。
【００５１】
図２６は、ＡＰ制御部１２１が操作ガイドＡＰ１２３をモバイル端末１１０にインストールする処理を示すフローチャートである。
入力部１１４が、ユーザから、操作ガイドＡＰ１２３をモバイル端末１１０へインストールする要求を受けると、ＡＰ制御部１２１は、先ず、ＮＤＥＦメッセージ領域１３０に操作ガイドＡＰ用領域１３２を確保する（Ｓ２０）。
【００５２】
次に、ＡＰ制御部１２１は、確保した操作ガイドＡＰ用領域１３２へのアドレスと、インストールした操作ガイドＡＰ１２３に事前に埋め込まれているＡＩＤとをＡＩＤ定義テーブル２０に設定する（Ｓ２１）。
その後、ＡＰ制御部１２１は、操作ガイドＡＰ用領域１３２において、端末情報書込領域１１のＡＰ状態情報１３として、インストール済みであることを示す「０」を書き込む（Ｓ２２）。
【００５３】
次に、ＡＰ制御部１２１は、操作ガイドＡＰ用領域１３２において、端末情報書込領域１１の表示状態情報１４として、非最前面表示であることを示す「０」を書き込む（Ｓ２３）。
そして、ＡＰ制御部１２１は、操作ガイドＡＰ用領域１３２において、装置情報書込領域１２の全ての情報をクリアする（Ｓ２４）。
【００５４】
図２７は、ＡＰ制御部１２１がかざして印刷ＡＰ１２４をモバイル端末１１０にインストールする処理を示すフローチャートである。
入力部１１４が、ユーザから、かざして印刷ＡＰ１２４をモバイル端末１１０へインストールする要求を受けると、ＡＰ制御部１２１は、先ず、かざして印刷ＡＰ用領域１３３を確保する（Ｓ３０）。
【００５５】
次に、ＡＰ制御部１２１は、確保したかざして印刷ＡＰ用領域１３３へのアドレスと、インストールしたかざして印刷ＡＰに事前に埋め込まれているＡＩＤとをＡＩＤ定義テーブル２０に設定する（Ｓ３１）。
その後、ＡＰ制御部１２１は、かざして印刷ＡＰ用領域１３３において、端末情報書込領域１１のＡＰ状態情報１３として、インストール済みであることを示す「０」を書き込む（Ｓ３２）。
【００５６】
次に、ＡＰ制御部１２１は、かざして印刷ＡＰ用領域１３３において、端末情報書込領域１１の表示状態情報１４において、非最前面表示であることを示す「０」を書き込む（Ｓ３３）。
そして、ＡＰ制御部１２１は、かざして印刷ＡＰ用領域１３３において、装置情報書込領域１２の全ての情報をクリアする（Ｓ３４）。
【００５７】
図２８は、操作ガイドＡＰ１２３がユーザによって起動されたときにＡＰ制御部１２１が行なう処理を示すフローチャートである。
入力部１１４が、ユーザから、操作ガイドＡＰ１２３を選択した起動指示を受けた場合、ＡＰ制御部１２１は、操作ガイドＡＰ用領域１３２において、端末情報書込領域１１のＡＰ状態情報１３として、起動中であることを示す「１」を書き込む（Ｓ４０）。
【００５８】
図２９は、かざして印刷ＡＰ１２４がユーザによって起動されたときにＡＰ制御部１２１が行なう処理を示すフローチャートである。
入力部１１４が、ユーザから、かざして印刷ＡＰ１２４を選択した起動指示を受けた場合、ＡＰ制御部１２１は、ユーザにより、入力部１１４を介して、かざして印刷ＡＰ１２４を用いて表示部１１３に所望の印刷画像（例えば、図９の印刷画像ＩＭ１）が表示させたか否かを判断する（Ｓ５０）。印刷画像が表示部１１３に表示されている場合には（Ｓ５０でＹｅｓ）、処理はステップＳ５１に進む。
ステップＳ５１では、ＡＰ制御部１２１は、かざして印刷ＡＰ用領域１３３において、端末情報書込領域１１のＡＰ状態情報１３として、起動中であることを示す「１」を書き込む。
【００５９】
図３０は、ＡＰ制御部１２１が行なう表示ＡＰ切替処理を示すフローチャートである。
本処理は、ユーザ又はモバイル端末１１０の都合でモバイル端末１１０の表示部１１３に表示するＡＰが切り替わる度に実行される。
【００６０】
ＡＰ制御部１２１は、操作ガイドＡＰ用領域１３２において、端末情報書込領域１１の表示状態情報１４として、非最前面表示であることを示す「０」を書き込む（Ｓ６０）。
次に、ＡＰ制御部１２１は、かざして印刷ＡＰ用領域１３３において、端末情報書込領域１１の表示状態情報１４として、非最前面表示であることを示す「０」を書き込む（Ｓ６１）。
次に、ＡＰ制御部１２１は、最前面に表示するＡＰを確認する（Ｓ６２）。例えば、ＡＰ制御部１２１は、モバイル端末１１０のＯＳ（Ｏｐｅｒａｔｉｎｇ  Ｓｙｓｔｅｍ）から最前面に表示するＡＰを特定すればよい。
【００６１】
具体的には、モバイル端末１１０が、アンドロイドをＯＳとして搭載している場合には、ＡＰ制御部１２１は、以下の第１〜第５の方法で、最前面に表示するＡＰを確認することができる。
第１の方法では、ＡＰ制御部１２１は、アンドロイドで作成されたアクティビティのライフサイクルを確認することで、画面毎に表示又は非表示を特定することができる。
アンドロイドでは、それぞれのアクティビティにイベントが通知される。表示については、「ＯｎＲｅｓｕｍｅ」のイベントが、非表示については、「Ｏｎｐａｕｓｅ」のイベントが通知されるため、第２の方法では、ＡＰ制御部１２１は、通知されるイベントを確認することで、表示又は非表示を特定することができる。
アンドロイドで作成されたアクティビティは、全てのアクティビティの状態を認識するサービスというプログラムに対して、受信したイベントを転送するため、第３の方法では、このサービスというプログラムをモバイル端末１１０に組み込んでおき、転送されてきたイベントをＡＰ制御部１２１に通知することで、ＡＰ制御部１２１は、表示又は非表示を特定することができる。
また、以上のようなサービスというプログラムは、必要なアクティビティの画面遷移イベントを全て認識できるため、第４の方法では、ＡＰ制御部１２１は、このような画面遷移イベントをサービスから取得することで、画面遷移の切り替わりの度に，どのアクティビティが表示されるかを認識することができる。
さらに、第５の方法では、ＡＰ制御部１２１は、アクティビティ自体がどのＡＰの一部であるかの情報を保持することで、最前面に表示されるＡＰを認識することができる。
【００６２】
最前面に表示されるＡＰが操作ガイドＡＰ１２３である場合には、ＡＰ制御部１２１は、操作ガイドＡＰ用領域１３２において、端末情報書込領域１１の表示状態情報１４として、最前面表示であることを示す「１」を書き込む（Ｓ６３）。
最前面に表示されるＡＰがかざして印刷ＡＰ１２４である場合には、ＡＰ制御部１２１は、かざして印刷ＡＰ用領域１３３において、端末情報書込領域１１の表示状態情報１４として、最前面表示であることを示す「１」を書き込む（Ｓ６４）。
最前面に表示されるＡＰが操作ガイドＡＰ１２３又はかざして印刷ＡＰ１２４ではない場合には、ＡＰ制御部１２１は、何もせずに処理を終了する。
【００６３】
以上のようにして、モバイル端末１１０の表示部１１３にＡＰを表示させた状態で、モバイル端末１１０がＭＦＰ１４０とＮＦＣを行うことができるようにＭＦＰ１４０にかざされることで、モバイル端末１１０の表示状態（ＡＰの動作状況）と、ＭＦＰ１４０の状態とに応じて、モバイル端末１１０又はＭＦＰ１４０の少なくとも何れか一方で、特定の処理が行われるようになる。
次に、ＭＦＰ１４０での動作について述べる。
【００６４】
図３１は、ＭＦＰ１４０の情報初期化部１５５が電源投入時等に行なう初期化処理を示すフローチャートである。
先ず、情報初期化部１５５は、記憶部１７０が管理するＷｉＦｉ接続情報３０を初期化する（Ｓ７０）。具体的には、情報初期化部１５５は、ＷｉＦｉ接続情報３０において、ＷｉＦｉ有効／無効情報３１としてＷｉＦｉ接続が無効であることを示す「０」を設定し、それ以外のＩＰアドレス３２、ＳＳＩＤ３３、パスワード３４及びセキュリティ種別情報３５として、全て未設定であることを示す「０」又は空白文字列を設定する。
【００６５】
次に、情報初期化部１５５は、ＵＲＬ情報４０を初期化する（Ｓ７１）。具体的には、情報初期化部１５５は、ＵＲＬ情報４０において、自機／他機情報４１として自機を示す「０」を設定し、ＵＲＬ４２として空の文字列を設定する。
次に、情報初期化部１５５は、印刷受付可否情報５０を初期化する（Ｓ７２）。具体的には、情報初期化部１５５は、印刷受付可否情報５０として印刷受付不可を示す「０」を設定する。
【００６６】
次に、情報初期化部１５５は、パネルロック中情報６０を初期化する（Ｓ７３）。具体的は、情報初期化部１５５は、パネルロック中情報６０としてパネルロック画面画像が表示中では無いことを示す「０」を設定する。
【００６７】
次に、情報初期化部１５５は、ＡＩＤ定義テーブル７０の内容を初期化する（Ｓ７４）。具体的には、情報初期化部１５５は、テーブルインデックス０のレコードのＡＩＤ列７１には「０」を格納し、ポインタ列７２には「認証ＡＰメッセージ領域書き込み処理関数へのポインタ」を設定する。また、情報初期化部１５５は、テーブルインデックス１のレコードのＡＩＤ列７１には「１０」を格納し、ポインタ列７２には「操作ガイドＡＰメッセージ領域書き込み処理関数へのポインタ」を設定する。また、情報初期化部１５５は、テーブルインデックス２のレコードのＡＩＤ列７１には「２０」を格納し、ポインタ列７２には「かざして印刷ＡＰメッセージ領域書き込み処理関数へのポインタ」を設定する。また、情報初期化部１５５は、テーブルインデックス３のレコードのＡＩＤ列７１には、テーブル終端であることを示す「−１」を設定する。
【００６８】
図３２は、ＭＦＰ１４０のメニュー項目管理部１５６が行なうＷｉＦｉ設定変更処理を示すフローチャートである。
ユーザが図示しない手段でＷｉＦｉ設定関連のメニューを変更した場合、このフローが開始される。
このフローが開始されると、先ず、メニュー項目管理部１５６は、記憶部１７０に記憶されているＷｉＦｉ接続情報３０において、ＩＰアドレス３２として変更後のＩＰアドレスを設定する（Ｓ８０）。
【００６９】
同様に、メニュー項目管理部１５６は、ＷｉＦｉ接続情報３０において、ＳＳＩＤ３３として変更後の値を、パスワード３４として変更後の値を、セキュリティ種別情報３５として変更後の値を設定する（Ｓ８１〜Ｓ８３）。
そして、メニュー項目管理部１５６は、ＷｉＦｉ接続情報３０において、ＷｉＦｉ有効／無効情報３１として変更後の最新の値を設定する（Ｓ８４）。
【００７０】
図３３は、ＭＦＰ１４０の画面表示制御部１５７が行なう画面画像表示切替処理を示すフローチャートである。
操作部１８０に表示される画面画像が切り替わる度にこのフローが実行される。
先ず、画面表示制御部１５７は、操作部１８０に表示されている画像が、コピー待機画面画像であるか否かを確認する（Ｓ９０）。コピー待機画面画像である場合には（Ｓ９０でＹｅｓ）、処理はステップＳ９１に進み、コピー待機画面画像ではない場合には（Ｓ９０でＮｏ）、処理はステップＳ９２に進む。
【００７１】
ステップＳ９１では、画面表示制御部１５７は、記憶部１７０に記憶されている印刷受付可否情報５０として、印刷受付可能を示す「１」を設定する。そして、処理はステップＳ９３に進む。
一方、ステップＳ９２では、画面表示制御部１５７は、記憶部１７０に記憶されている印刷受付可否情報５０として、印刷受付不可を示す「０」を設定する。そして、処理はステップＳ９３に進む。
【００７２】
ステップＳ９３では、画面表示制御部１５７は、記憶部１７０に記憶されているパネルロック中情報６０として、パネルロック画面画像を表示中ではないことを示す「０」を設定する。
次に、画面表示制御部１５７は、記憶部１７０に記憶されているＵＲＬ情報４０をクリアする（Ｓ９４）。具体的には、画面表示制御部１５７は、ＵＲＬ情報４０において、自機／他機情報４１として、自機を示す「０」を設定し、ＵＲＬ４２として空の文字列を設定する。
【００７３】
画面表示制御部１５７は、操作部１８０に次に表示される画面画像を特定する（Ｓ９５）。
表示される画面画像がコピー待機画面画像８１である場合には（Ｓ９６）、画面表示制御部１５７は、インターネットに公開されているオンラインマニュアルのコピー機能を説明するＷｅｂページに該当するＵＲＬ、言い換えると、コピー操作説明画面画像ＩＭ３を表示するためのＵＲＬを、ＵＲＬ４２として設定する（Ｓ９７）。
また、画面表示制御部１５７は、自機／他機情報４１として他機を示す「１」を設定する（Ｓ９８）。
【００７４】
表示される画面画像がメニュー設定変更画面画像８２である場合には（Ｓ９６）、画面表示制御部１５７は、自装置のＷｅｂサーバ部１５８が提供するＷｅｂページに該当するＵＲＬ、言い換えると、メニュー変更画面画像ＩＭ４を表示するためのＵＲＬを、ＵＲＬ４２として設定する（Ｓ９９）。
また、画面表示制御部１５７は、自機／他機情報４１として自機を示す「０」を設定する（Ｓ１００）。
【００７５】
表示される画面画像がパネルロック画面画像８０である場合には（Ｓ９６）、画面表示制御部１５７は、パネルロック中情報６０として、パネルロック中であることを示す「１」を設定する（Ｓ１０１）。
また、画面表示制御部１５７は、インターネットに公開されているオンラインマニュアルのＩＣカード登録を説明するＷｅｂページに該当するＵＲＬ、言い換えると、ＩＣカード情報登録説明画面画像ＩＭ２を表示するためのＵＲＬを、ＵＲＬ４２として設定する（Ｓ１０２）。
さらに、画面表示制御部１５７は、自機／他機情報４１として他機を示す「１」を設定する（Ｓ１０３）。
【００７６】
尚、表示される画面画像が、コピー待機画面画像８１、メニュー設定変更画面画像８２又はパネルロック画面画像８０ではない場合には（Ｓ９６）、画面表示制御部１５７は、何もせずに処理を終了する。
【００７７】
図３４は、ＭＦＰ１４０の端末情報制御部１５４が行なうメイン処理を示すフローチャートである。
端末情報制御部１５４は、端末検知部１５１を使用し、モバイル端末１１０がＭＦＰ１４０の図示しないカード及び端末検知エリアにかざされるまで待機する（Ｓ１１０、Ｓ１１１）。モバイル端末１１０がかざされた場合には（Ｓ１１１でＹｅｓ）、処理はステップＳ１１２に進む。
【００７８】
ステップＳ１１２では、端末情報制御部１５４は、記憶部１７０に記憶されているパネルロック中情報６０の値を確認することで、パネルロック画面画像８０が操作部１８０に表示されているか否かを判断する。パネルロック中情報６０の値が「１（パネルロック中）」である場合には（Ｓ１１２でＹｅｓ）、処理はステップＳ１１３に進み、パネルロック中情報６０の値が「０（非パネルロック中）」である場合には（Ｓ１１２でＮｏ）、処理はステップＳ１２４に進む。
【００７９】
ステップＳ１１３では、後述の認証ＡＰ動作中判定処理がサブルーチン処理として実行される。
そして、端末情報制御部１５４は、認証ＡＰ動作中判定処理からの戻り値を判定する（Ｓ１１４）。戻り値がＮＯである場合には、端末情報制御部１５４は、何もせずに処理を終了する。戻り値がＹＥＳの場合には、処理はステップＳ１１５に進む。
【００８０】
ステップＳ１１５では、端末情報制御部１５４は、ユーザ認証処理を行う。例えば、端末情報制御部１５４は、モバイル端末１１０のユーザにユーザ名及びパスワードの入力を求め、予め記憶部１７０等に記憶されているユーザ名及びパスワードと一致しているか否かを判断することで、ユーザ認証処理を行う。
そして、端末情報制御部１５４は、ユーザ認証処理の結果を確認し（Ｓ１１６）、ユーザ認証に失敗した場合には、処理はステップＳ１１７に進み、ユーザ認証に成功した場合には、処理はステップＳ１１８に進む。
【００８１】
ステップＳ１１７では、認証ＡＰ用領域への書込処理がサブルーチン処理として実行される。
ステップＳ１１８では、かざして印刷ＡＰ１２４について個別ＡＰ最前面表示判定処理がサブルーチン処理として実行される。ここでは、端末情報制御部１５４は、引数として、かざして印刷ＡＰを示すＡＩＤ＝２０を設定する。
【００８２】
次に、端末情報制御部１５４は、個別ＡＰ最前面表示判定処理からの戻り値を判定する（Ｓ１１９）。戻り値がＹＥＳである場合には、処理はステップＳ１２０に進み、戻り値がＮＯである場合には、処理はステップＳ１２３に進む。
【００８３】
ステップＳ１２０では、端末情報制御部１５４は、一時的に強制的に印刷可能とする為に印刷受付可否情報５０として、印刷受付可能を示す「１」を設定する。尚、端末情報制御部１５４は、変更前の値を、記憶部１７０に一時退避しておく。
そして、かざして印刷ＡＰ用領域への書込処理がサブルーチン処理として実行される（Ｓ１２１）。実行完了後、端末情報制御部１５４は、印刷受付可否情報５０の値を元の値に戻しておく（Ｓ１２２）。
【００８４】
ステップＳ１２３では、端末情報制御部１５４は、パネルロックを解除する。パネルロックが解除されると、操作部１８０には、パネルロック画面画像８０以外の画面画像が表示される。そして、処理は終了する。
【００８５】
また、ステップＳ１２４では、端末情報制御部１５４は、記憶部１７０に記憶されているテーブルインデックスｉを初期化する（Ｓ１２４）。ここでは、端末情報制御部１５４は、テーブルインデックスｉに「０」を設定する。
そして、情報転送対象ＡＰ判定処理がサブルーチン処理として実行される（Ｓ１２５）。
情報転送対象ＡＰ判定処理によって、テーブルインデックスｉの値が適切な値に更新される為、引き続き、端末情報制御部１５４は、ＡＩＤ定義テーブル７０に定義されているテーブルインデックスｉに対応するポインタが示す関数を実行する（Ｓ１２６）。
【００８６】
図３５は、認証ＡＰ動作中判定処理を示すフローチャートである。
認証ＡＰ動作中判定処理は、モバイル端末１１０において認証ＡＰ１２２が起動中であるか否かを判定するサブルーチン処理である。このサブルーチン処理は、図３４のステップＳ１１３で行われる処理である。
先ず、ＭＦＰ１４０の動作状況特定部１５２は、モバイル端末１１０の認証ＡＰ用領域１３１の端末情報書込領域１１に対して、ＮＦＣ通信規約で定義されている通信手段を用いてアクセスすることで、この領域１１を参照することができるか否かを判定する（Ｓ１３０）。尚、モバイル端末１１０において認証ＡＰ１２２がそもそもインストールされていない場合は、このアクセスが失敗する。
【００８７】
動作状況特定部１５２は、アクセスの結果を判定し（Ｓ１３１）、参照可能である場合には（Ｓ１３１でＹｅｓ）、処理はステップＳ１３２に進み、参照不可能である場合には（Ｓ１３１でＮｏ）、処理はステップＳ１３４に進む。
【００８８】
ステップＳ１３２では、動作状況特定部１５２は、ＮＦＣ通信規約で定義されている通信手段を用いて、端末情報書込領域１１のＡＰ状態情報１３の値を参照することで、認証ＡＰ１２２が起動中であるか否かを判定する（Ｓ１３２）。ＡＰ状態情報１３の値が「１（起動中）」である場合には、処理はステップＳ１３３に進み、ＡＰ状態情報１３の値が「０（非起動中）」である場合には、処理はステップＳ１３４に進む。
【００８９】
ステップＳ１３３では、動作状況特定部１５２は、このサブルーチン処理の戻り値に「ＹＥＳ」を設定する。そして、動作状況特定部１５２は、処理を終了し、呼び出し元へ処理を戻す。
ステップＳ１３４では、動作状況特定部１５２は、このサブルーチン処理の戻り値に「ＮＯ」を設定する。そして、動作状況特定部１５２は、処理を終了し、呼び出し元へ処理を戻す。
【００９０】
図３６は、情報転送対象ＡＰ判定処理を示すフローチャートである。
情報転送対象ＡＰ判定処理は、ＭＦＰ１４０からモバイル端末１１０に対して情報を転送する際に、モバイル端末１１０で動作するどのＡＰを対象にするかを判定するサブルーチン処理である。このサブルーチン処理は、図３４のステップＳ１２５で行われる処理である。このサブルーチン処理が実行される前に、端末情報制御部１５４によって記憶部１７０に記憶されているテーブルインデックスｉに「０」が設定されている（図３４のステップＳ１２４）。
【００９１】
先ず、動作状況特定部１５２は、ＡＩＤ定義テーブル７０のテーブルインデックスｉのレコードのＡＩＤを取得して、変数Ｘの値として取得されたＡＩＤを設定する（Ｓ１４０）。
次に、動作状況特定部１５２は、変数Ｘの値が「−１」であるか否かを判定する（Ｓ１４１）。
変数Ｘの値が「−１」である場合には（Ｓ１４１でＹｅｓ）、ＡＩＤ定義テーブル７０の参照を終了したという意味になる為、動作状況特定部１５２は、何もせず処理を終了し、呼び出し元へ処理を戻す。
変数Ｘの値が「−１」ではない場合には（Ｓ１４１でＮｏ）、処理はステップＳ１４２に進む。
【００９２】
ステップＳ１４２では、引数として、変数Ｘの値を設定して、個別ＡＰ最前面表示判定処理がサブルーチン処理として実行される。
そして、動作状況特定部１５２は、個別ＡＰ最前面表示判定処理からの戻り値を判定する（Ｓ１４３）。戻り値がＹＥＳである場合には、動作状況特定部１５２は、何もせずに、呼び出し元へ処理を戻す。
戻り値がＮＯである場合には、動作状況特定部１５２は、テーブルインデックスｉに「１」を加算する（Ｓ１４４）。そして、処理はステップＳ１４０に戻る。
【００９３】
図３６に示されたサブルーチン処理が完了すると、記憶部１７０に記憶されているテーブルインデックスｉは、ＡＩＤ定義テーブル７０に格納されている書き込み処理関数のポインタのどれを参照すべきかを表している。
【００９４】
図３７は、個別ＡＰ最前面表示判定処理を示すフローチャートである。
個別ＡＰ最前面表示判定処理は、モバイル端末１１０上で動作する個々のＡＰが、モバイル端末１１０において最前面に表示されているかをＡＰ毎に判断する為のサブルーチン処理である。このサブルーチン処理は、図３４のステップＳ１１８及び図３６のステップＳ１４２で行われる処理である。
【００９５】
先ず、動作状況特定部１５２は、ＮＦＣ通信規約で定義されている通信手段を利用し、引数に基づいて、モバイル端末１１０のＮＤＥＦメッセージ領域１３０における個別ＡＰの情報を取得する（Ｓ１５０）。ここで、引数は、個別のＡＰ毎に割り当てられたＡＩＤを表す数値である。ＮＦＣ通信規約で定義されている通信手段に対して、ＡＩＤに「０」を指定した場合には、認証ＡＰ用領域１３１の情報に対してアクセスすることが出来る。ＡＩＤに「１０」を指定した場合には、操作ガイドＡＰ用領域１３２の情報に対してアクセスすることが出来る。ＡＩＤに「２０」を指定した場合には、かざして印刷ＡＰ用領域１３３の情報に対してアクセスすることが出来る。
【００９６】
そして、動作状況特定部１５２は、引数に対応するＡＰ用領域へのアクセスを行うことで、その情報を参照することができるか否かを判定する（Ｓ１５１）。情報を参照することができた場合には（ステップＳ１５１でＹｅｓ）、処理はステップＳ１５２に進み、情報を参照することができない場合には（ステップＳ１５１でＮｏ）、処理はステップＳ１５５に進む。
【００９７】
ステップＳ１５２では、動作状況特定部１５２は、アクセスした領域のＡＰ状態情報１３を参照することで、引数に対応するＡＰが起動中であるか否かを判定する。そのＡＰが起動中である場合には（Ｓ１５２でＹｅｓ）、処理はステップＳ１５３に進み、そのＡＰが起動中ではない場合には（Ｓ１５２でＮｏ）、処理はステップＳ１５５に進む。
【００９８】
ステップＳ１５３では、動作状況特定部１５２は、アクセスした領域の表示状態情報１４を参照することで、引数に対応するＡＰが最前面に表示されているか否かを判定する。そのＡＰが最前面に表示されている場合には（Ｓ１５３でＹｅｓ）、処理はステップＳ１５４に進み、そのＡＰが最前面に表示されていない場合には（Ｓ１５３でＮｏ）、処理はステップＳ１５５に進む。
【００９９】
ステップＳ１５４では、動作状況特定部１５２は、このサブルーチン処理の戻り値に「ＹＥＳ」を設定する。そして、動作状況特定部１５２は、処理を終了し、呼び出し元へ処理を戻す。
ステップＳ１５５では、動作状況特定部１５２は、このサブルーチン処理の戻り値に「ＮＯ」を設定する。そして、動作状況特定部１５２は、処理を終了し、呼び出し元へ処理を戻す。
【０１００】
図３８は、認証ＡＰ用領域１３１への書込処理を示すフローチャートである。
認証ＡＰ用領域１３１への書込処理は、ＮＦＣ通信規約で定義される通信手段を用いて、モバイル端末１１０の認証ＡＰ用領域１３１への書込み処理を行なうサブルーチン処理である。このサブルーチン処理は、図３４のステップＳ１１７で行われる処理である。
書込部１５３は、ＮＦＣ通信規約で定義されている通信手段に対してＡＩＤに「０」を指定して、モバイル端末１１０の認証ＡＰ用領域１３１へアクセスする。そして、書込部１５３は、その装置情報書込領域１２の第１レコード１２ａに、インターネットに公開されているオンラインマニュアルのＩＣカード登録を説明するＷｅｂページに該当するＵＲＬを書き込む（Ｓ１６０）。
【０１０１】
図３９は、操作ガイドＡＰ用領域１３２への書込処理を示すフローチャートである。
操作ガイドＡＰ用領域１３２への書込処理は、ＮＦＣ通信規約で定義される通信手段を用いて、モバイル端末１１０の操作ガイドＡＰ用領域１３２への書込み処理を行なうサブルーチン処理である。このサブルーチン処理は、図３４のステップＳ１２６においてテーブルインデックスｉが「１」である場合に実行される処理である。
【０１０２】
先ず、書込部１５３は、記憶部１７０に記憶されているＵＲＬ情報４０に値が書き込まれているか否かを確認する（Ｓ１７０）。値が書き込まれている場合には（Ｓ１７０でＹｅｓ）、処理はステップＳ１７１に進み、値が書込まれていない場合には（Ｓ１７０でＮｏ）、書込部１５３は、何もせずに、処理を終了する。
【０１０３】
ステップＳ１７１では、書込部１５３は、ＮＦＣ通信規約で定義されている通信手段に対してＡＩＤに「１０」を指定して、モバイル端末１１０の操作ガイドＡＰ用領域１３２へアクセスする。そして、書込部１５３は、その装置情報書込領域１２の第１レコード１２ａに、ＵＲＬ情報４０のＵＲＬ４２の値を書き込む。
【０１０４】
次に、書込部１５３は、ＵＲＬ情報４０の自機／他機情報４１を参照し、その値が「１」であるか否かにより、ＵＲＬが自機のものであるか否かを判定する（Ｓ１７２）。ＵＲＬが自機のものである場合には（Ｓ１７２でＹｅｓ）、処理はステップＳ１７３に進む。ＵＲＬが自機のものではない場合には（Ｓ１７２でＮｏ）、書込部１５３は、何もせずに処理を終了し、呼び出し元へ処理を戻す。
【０１０５】
ステップＳ１７３では、書込部１５３は、ＷｉＦｉ有効／無効情報３１を参照することで、ＷｉＦｉ接続が有効であるか否かを判定する。ＷｉＦｉ接続が無効である場合には（Ｓ１７３でＮｏ）、処理はステップＳ１７４に進み、ＷｉＦｉ接続が有効である場合には（Ｓ１７３でＹｅｓ）、処理はステップＳ１７５に進む。
【０１０６】
ステップＳ１７４では、モバイル端末１１０からＭＦＰ１４０のＷｅｂサーバ部１５８にアクセスすることは出来ない為、書込部１５３は、モバイル端末１１０の操作ガイドＡＰ用領域１３２において、装置情報書込領域１２の第１レコード１２ａの値をクリアする。そして、書込部１５３は、処理を終了する。
【０１０７】
ステップＳ１７５〜Ｓ１７８では、書込部１５３は、操作ガイドＡＰ用領域１３２において、装置情報書込領域１２の第２レコード１２ｂから第５レコードに、順にＷｉＦｉ接続情報３０内のＩＰアドレス３２、ＳＳＩＤ３３、パスワード３４及びセキュリティ種別情報３５を書き込む。そして、書込部１５３は、処理を終了する。
【０１０８】
図４０は、かざして印刷ＡＰ用領域１３３への書込処理を示すフローチャートである。
かざして印刷ＡＰ用領域１３３への書込処理は、ＮＦＣ通信規約で定義される通信手段を用いて、モバイル端末１１０のかざして印刷ＡＰ用領域１３３への書込み処理を行なうサブルーチン処理である。このサブルーチン処理は、図３４のステップＳ１２６においてテーブルインデックスｉが「２」である場合に実行される処理である。
【０１０９】
先ず、書込部１５３は、記憶部１７０に記憶されている印刷受付可否情報５０を参照することで、印刷の受け付けが可能であるか否かを判定する（Ｓ１８０）。印刷の受け付けが不可能である場合には（Ｓ１８０でＮｏ）、書込部１５３は、何もせずに処理を終了する。印刷の受け付けが可能である場合には（Ｓ１８０でＹｅｓ）、処理はステップＳ１８１へ進む。
【０１１０】
ステップＳ１８１では、書込部１５３は、ＷｉＦｉ有効／無効情報３１を参照することで、ＷｉＦｉ接続が有効であるか否かを判定する。ＷｉＦｉ接続が無効である場合には（Ｓ１８１でＮｏ）、書込部１５３は、何もせずに処理を終了する。ＷｉＦｉ接続が有効である場合には（Ｓ１８１でＹｅｓ）、処理はステップＳ１８２に進む。
【０１１１】
ステップＳ１８２〜Ｓ１８５では、書込部１５３は、かざして印刷ＡＰ用領域１３３において、装置情報書込領域１２の第１レコード１２ａから第４レコードに、順にＷｉＦｉ接続情報３０内のＩＰアドレス３２、ＳＳＩＤ３３、パスワード３４及びセキュリティ種別情報３５を書き込む。そして、書込部１５３は、処理を終了する。
【０１１２】
以上が、実施の形態１におけるＭＦＰ１４０での処理である。
次に、モバイル端末１１０をＭＦＰ１４０にかざした後の処理について説明する。
【０１１３】
図４１は、ＡＰ制御部１２１が行なうイベント待機処理を示すフローチャートである。
まず、ＡＰ制御部１２１は、ＮＦＣ  Ｉ／Ｆ部１１１を介して、モバイル端末１１０がＭＦＰ１４０から外されたイベントが発行されるまで待機する（Ｓ１９０）。例えば、ＡＰ制御部１２１は、モバイル端末１１０のＯＳの機能を利用することにより、このようなイベントをＯＳから取得することができる。そして、このようなイベントが発行された場合には（Ｓ１９１でＹｅｓ）、処理はステップＳ１９２へ進む。
【０１１４】
ステップＳ１９２では、認証ＡＰ処理が実行される。
次に、操作ガイドＡＰ処理が実行され（Ｓ１９３）、さらに、かざして印刷ＡＰ処理が実行される（Ｓ１９４）。
【０１１５】
図４２は、認証ＡＰ処理を示すフローチャートである。
認証ＡＰ処理は、図４１のステップＳ１９２で実行される処理である。
まず、認証ＡＰ１２２は、認証ＡＰ用領域１３１において、装置情報書込領域１２に何か値が書き込まれているか否かを確認し（Ｓ２００）、その結果を判定する（Ｓ２０１）。その結果、値が書き込まれている場合には、処理はステップＳ２０２に進む。値が書き込まれていない場合には、認証ＡＰ１２２は、何もせずに処理を終了する。
【０１１６】
ステップＳ２０２では、認証ＡＰ１２２は、認証ＡＰ用領域１３１において、装置情報書込領域１２の第１レコード１２ａに格納されているＵＲＬにアクセスし、そのＷｅｂページの画像（ＩＣカード情報登録説明画面画像ＩＭ２）を、Ｗｅｂブラウザを用いて表示部１１３に表示する（Ｓ２０２）。
その後、認証ＡＰ１２２は、認証ＡＰ用領域１３１において、装置情報書込領域１２の全ての情報をクリアする（Ｓ２０３）。
【０１１７】
図４３は、操作ガイドＡＰ処理を示すフローチャートである。
操作ガイドＡＰ処理は、図４１のステップＳ１９３で実行される処理である。
まず、操作ガイドＡＰ１２３は、操作ガイドＡＰ用領域１３２において、装置情報書込領域１２に何か値が書き込まれているか否かを確認し（Ｓ２１０）、その結果を判定する（Ｓ２１１）。その結果、値が書き込まれている場合には、処理はステップＳ２１２に進む。値が書き込まれていない場合には、操作ガイドＡＰ１２３は、何もせずに処理を終了する。
【０１１８】
ステップＳ２１２では、操作ガイドＡＰ１２３は、操作ガイドＡＰ用領域１３２において、装置情報書込領域１２の第２レコード１２ｂに値が書き込まれているか確認し（Ｓ２１２）、その結果を判定する（Ｓ２１３）。その結果、値が書き込まれている場合には、処理はステップＳ２１４に進み、値が書き込まれていない場合には、処理はステップＳ２１５に進む。
【０１１９】
ステップＳ２１４では、ＭＦＰ１４０から通知されたＵＲＬがＭＦＰ１４０内のＷｅｂサーバ部１５８が提供するＵＲＬとなる為、操作ガイドＡＰ１２３は、操作ガイドＡＰ用領域１３２において、装置情報書込領域１２の第２レコード１２ｂ〜第５レコードまでの情報を読み出す。そして、操作ガイドＡＰ１２３は、読み出された情報に基づいて、ＭＦＰ１４０との間でＷｉＦｉダイレクト接続を行なう。そして、処理はステップＳ２１５に進む。
【０１２０】
ステップＳ２１５では、操作ガイドＡＰ１２３は、操作ガイドＡＰ用領域１３２において、装置情報書込領域１２の第１レコード１２ａに格納されているＵＲＬにアクセスし、そのＷｅｂページの画像を、Ｗｅｂブラウザを用いて表示部１１３に表示する。尚、操作ガイドＡＰ用領域１３２において、装置情報書込領域１２の第２レコード１２ｂに値が書き込まれていない場合は、操作ガイドＡＰ１２３は、新たなＷｉＦｉ接続を確立する必要はなく、既に接続されているアクセスポイントを介して、通信を行えばよい。
ここで表示される画像は、ステップＳ２１４を経由した場合には、例えば、図１２に示されているメニュー変更画面画像ＩＭ４である。一方、ステップＳ２１４を経由していない場合には、表示される画像は、図１１に示されているコピー操作説明画面画像ＩＭ３である。
【０１２１】
その後、操作ガイドＡＰ１２３は、操作ガイドＡＰ用領域１３２において、装置情報書込領域１２の全ての情報をクリアする（Ｓ２１６）。
【０１２２】
図４４は、かざして印刷ＡＰ処理を示すフローチャートである。
かざして印刷ＡＰ処理は、図４１のステップＳ１９４で実行される処理である。
先ず、かざして印刷ＡＰ１２４は、かざして印刷ＡＰ用領域１３３において、装置情報書込領域１２に何か値が書き込まれているか否かを確認し（Ｓ２２０）、その結果を判定する（Ｓ２２１）。その結果、値が書き込まれている場合には、処理はステップＳ２２２に進む。値が書き込まれていない場合には、かざして印刷ＡＰ１２４は、何もせずに処理を終了する。
【０１２３】
ステップＳ２２２では、かざして印刷ＡＰ１２４は、かざして印刷ＡＰ用領域１３３において、装置情報書込領域１２の第１レコード１２ａ〜第４レコードまでの情報を読み出す。そして、かざして印刷ＡＰ１２４は、読み出した情報に基づいて、ＭＦＰ１４０との間でＷｉＦｉダイレクト接続を行なう。
【０１２４】
そして、かざして印刷ＡＰ１２４は、表示部１１３に表示されている印刷画像ＩＭ１を、ＷｉＦｉダイレクト印刷の仕組みで、ＭＦＰ１４０に対して印刷要求を行なう（Ｓ２２３）。
その後、かざして印刷ＡＰ１２４は、かざして印刷ＡＰ用領域１３３において、装置情報書込領域１２の全ての情報をクリアする（Ｓ２２４）。
【０１２５】
以上のように、実施の形態１によれば、モバイル端末１１０の状況と、ＭＦＰ１４０の状況とを比較した結果から判断した、ユーザが所望するであろう情報をＭＦＰ１４０からモバイル端末１１０へ提供することが出来る。ユーザは、モバイル端末１１０をＭＦＰ１４０にかざすだけで、エラー情報に限らずその時点でユーザが望む最適な情報を入手したり、機能を実行したりすることが出来る。
【０１２６】
以上に記載した実施の形態１では、操作ガイドＡＰ１２３及びかざして印刷ＡＰ１２４が、モバイル端末１１０とＭＦＰ１４０との間でＷｉＦｉダイレクト接続を行うと簡略して記述しているが、モバイル端末１１０に既に無線アクセスポイントが設定されており、かつ、ＭＦＰ１４０自体が無線アクセスポイントの機能を有しているような場合には、先ず、モバイル端末１１０が現在の無線アクセスポイントの設定を一旦保存しておき、ＭＦＰ１４０の無線アクセスポイントへ切り替えて必要な処理を実施した後、保存されている以前の無線アクセスポイントの設定へ戻すという処理が一般的となる。
【０１２７】
実施の形態２．
図４５は、実施の形態２に係る通信システム２００の概略図である。
通信システム２００は、モバイル端末２１０と、ＭＦＰ２４０とを備える。
モバイル端末２１０は、ＮＦＣ  Ｉ／Ｆ部２１１と、無線ＬＡＮ  Ｉ／Ｆ部１１２とを備える。
ＭＦＰ２４０は、ＮＦＣ  Ｉ／Ｆ部２４１と、無線ＬＡＮ  Ｉ／Ｆ部１４２とを備える。
ＮＦＣ  Ｉ／Ｆ部２１１及びＮＦＣ  Ｉ／Ｆ部２４１は、ＮＦＣ規格に従ったＮＦＣ方式の無線通信１０１を実行する為のインターフェースである。尚、実施の形態２では、ＮＦＣ通信上、モバイル端末２１０が情報のＲｅａｄ及びＷｒｉｔｅを行なうＲｅａｄｅｒ／Ｗｒｉｔｅｒとして機能する。
無線ＬＡＮ  Ｉ／Ｆ部１１２及び無線ＬＡＮ  Ｉ／Ｆ部１４２は、ＷｉＦｉ規格に従って、無線ＬＡＮを介してインターネットに接続する為のインターフェースである。
尚、ＭＦＰ２４０の無線ＬＡＮ  Ｉ／Ｆ部１４２は、ＷｉＦｉダイレクト方式をサポートしており、アクセスポイントを経由せずに、対象デバイスとのＰ２Ｐの無線ＬＡＮ通信１０２を実現することができる。
【０１２８】
図４６は、モバイル端末２１０の構成を概略的に示すブロック図である。
モバイル端末２１０は、ＮＦＣ  Ｉ／Ｆ部２１１と、無線ＬＡＮ  Ｉ／Ｆ部１１２と、表示部１１３と、入力部１１４と、制御部２２０と、記憶部２３０と、を備える。
【０１２９】
表示部１１３及び入力部１１４は、実施の形態１と同様に構成されている。
【０１３０】
制御部２２０は、ＡＰ制御部２２１と、操作ガイドＡＰ１２３と、かざして印刷ＡＰ１２４と、ＮＦＣタグ検出部２２５とを備える。
実施の形態２では、モバイル端末２１０上に２種類のＡＰが動作可能である。２種類のＡＰは、操作ガイドＡＰ１２３及びかざして印刷ＡＰ１２４であるものとする。操作ガイドＡＰ１２３及びかざして印刷ＡＰ１２４は、実施の形態１と同様に機能する。そして、制御部２２０には、これらの２種類のＡＰを統括的に管理するＡＰ制御部２２１が存在する。
【０１３１】
ＮＦＣタグ検出部２２５は、ＭＦＰ２４０がモバイル端末２１０の図示しないカード及び端末検知エリアに入るように、モバイル端末２１０がＭＦＰ２４０にかざされた場合に、ＮＦＣ  Ｉ／Ｆ部２１１及びＮＦＣ  Ｉ／Ｆ部２４１を介して、後述するＭＦＰ２４０内のＮＦＣタグ２４３を検知する。
【０１３２】
記憶部２３０は、モバイル端末２１０での処理に必要な情報を記憶する。
例えば、記憶部２３０は、モバイル端末２１０内のＮＦＣタグ検出部２２５が管理する制御情報２３４を記憶する。
図４７は、制御情報２３４の内部構造を示す概略図である。
制御情報２３４には、モバイル端末２１０の表示部１１３に、操作ガイドＡＰ１２３又はかざして印刷ＡＰ１２４のいずれかの画面画像が表示されている時に、ＮＦＣタグ２４３を検知したことを操作ガイドＡＰ１２３又はかざして印刷ＡＰ１２４に通知する為のコールバック関数へのポインタであるＮＦＣタグ検出時コールバック関数ポインタが格納されている。
【０１３３】
図４８は、ＭＦＰ２４０の構成を概略的に示すブロック図である。
ＭＦＰ２４０は、ＮＦＣ  Ｉ／Ｆ部２４１と、無線ＬＡＮ  Ｉ／Ｆ部１４２と、ＮＦＣタグ２４３と、制御部２５０と、操作部１８０と、印刷部１８１とを備える。実施の形態２における操作部１８０及び印刷部１８１は、実施の形態１と同様に構成されている。
【０１３４】
ＮＦＣタグ２４３は、ＭＦＰ２４０での処理に必要な情報を記憶する記憶部として機能するとともに、モバイル端末２１０がＮＦＣ  Ｉ／Ｆ部２１１及びＮＦＣ  Ｉ／Ｆ部２４１を介してアクセスすることができるようにされている。ＮＦＣタグ２４３は、モバイル端末２１０からＮＦＣ  Ｉ／Ｆ部２１１及びＮＦＣ  Ｉ／Ｆ部２４１を介して、読み出し及び書き込みが行われるデータ領域であるＮＤＥＦメッセージ領域として機能する。これはＮＦＣタグともよばれる。
【０１３５】
図４９は、ＮＦＣタグ２４３の内部構造を示す概略図である。
ＮＦＣタグ２４３は、Ｌ個の可変長レコードから構成される（Ｌは、１以上の整数）。実施の形態２では、ＮＦＣタグ２４３には、全部で６個のレコード２４３ａ〜２４３ｆが存在する。第１レコード２４３ａ〜第４レコード２４３ｄまでには、ＷｉＦｉ接続用の情報が格納される。例えば、第１レコード２４３ａには、ＩＰアドレスが格納され、第２レコード２４３ｂには、ＳＳＩＤが格納され、第３レコード２４３ｃには、パスワードが格納され、第４レコード２４３ｄには、セキュリティ種別情報（ＷＥＰ、ＷＰＡ等）が格納される。
第５レコード２４３ｅには、モバイル端末２１０の表示部１１３に表示させる画像のＵＲＬが格納される。
第６レコード２４３ｆには、第５レコード２４３ｅに格納されたＵＲＬが、ＭＦＰ２４０内のＷｅｂサーバ部１５８が提供するＷｅｂページのアドレスであるか、インターネットで公開されているＷｅｂページのアドレスであるかを示す自機／他機情報が格納される。
【０１３６】
ＮＦＣタグ２４３に含まれる１つのレコード２４３ａ〜２４３ｆの構造は、図５０に示されているように、先頭２バイトが以降に連続する情報９１のバイト長９０となっている。
【０１３７】
図４８に戻り、制御部２５０は、ＭＦＰ２４０での処理を制御する。例えば、制御部２５０は、ＭＦＰ２４０の状態に応じて、ＮＦＣタグ２４３に記憶する情報を変える。具体的には、制御部２５０は、操作部１８０に表示されている画面画像を特定し、特定された画面画像に応じて、ＮＦＣタグ２４３に記憶する情報を変える。
制御部２５０は、情報初期化部２５５と、メニュー項目管理部２５６と、画面表示制御部２５７と、Ｗｅｂサーバ部１５８と、印刷制御部１５９とを備える。実施の形態２におけるＷｅｂサーバ部１５８及び印刷制御部１５９は、実施の形態１と同様である。
【０１３８】
情報初期化部２５５は、ＮＦＣタグ２４３内の情報を初期化する。
メニュー項目管理部２５６は、ＮＦＣタグ２４３内の情報を参照して、ＭＦＰ２４０内の各種パラメータ（メニュー）項目を変更する。
画面表示制御部２５７は、ユーザとのＵＩを実現する操作部１８０を制御する。画面表示制御部２５７は、操作部１８０に入力されたユーザからの指示等により、ＮＦＣタグ２４３内の情報を参照し、又は、ＮＦＣタグ２４３内に情報を書き込む。
【０１３９】
図５１及び図５２は、実施の形態２での振る舞いを理解しやすくする為に、モバイル端末２１０及びＭＦＰ２４０間の、それぞれの状態による動作マトリクスである。この動作マトリクスに記載した振る舞いを実現する動作フローを以降に説明する。
【０１４０】
実施の形態２における動作を、図面を用いて説明する。
図５３は、ＭＦＰ２４０の情報初期化部２５５が電源投入時等に行なう初期化処理を示すフローチャートである。
情報初期化部２５５は、ＮＦＣタグ２４３の内容を初期化する（Ｓ２３０）。具体的には、情報初期化部２５５は、ＮＦＣタグ２４３の第１レコード２４３ａ〜第４レコード２４３ｄに格納するＩＰアドレス、ＳＳＩＤ、パスワード及びセキュリティ種別情報として、全て未設定であることを示す「０」又は空白文字列を設定する。また、情報初期化部２５５は、ＮＦＣタグ２４３の第６レコード２４３ｆに格納する自機／他機情報として自機を示す「０」を設定し、第５レコード２４３ｅに格納するＵＲＬとして空の文字列を設定する。
【０１４１】
図５４は、ＭＦＰ２４０のメニュー項目管理部２５６が行なうＷｉＦｉ設定変更処理を示すフローチャートである。
ユーザが図示しない手段でＷｉＦｉ設定関連のメニューを変更した場合、このフローが実行される。
先ず、メニュー項目管理部２５６は、ＷｉＦｉ接続が有効に設定されている否かを確認する（Ｓ２４０）。ＷｉＦｉ接続が無効に設定されている場合には（Ｓ２４０でＮｏ）、処理はステップＳ２４１に進み、ＷｉＦｉ接続が有効に設定されている場合には（Ｓ２４０でＹｅｓ）、処理はステップＳ２４２に進む。
【０１４２】
ステップＳ２４１では、メニュー項目管理部２５６は、ＮＦＣタグ２４３の第１レコード２４３ａ〜第４レコード２４３ｄ迄の値を初期化する。具体的には、情報初期化部２５５は、ＮＦＣタグ２４３の第１レコード２４３ａ〜第４レコード２４３ｄに格納するＩＰアドレス、ＳＳＩＤ、パスワード及びセキュリティ種別情報として、全て未設定であることを示す「０」又は空白文字列を設定する。
【０１４３】
ステップＳ２４２では、メニュー項目管理部２５６は、変更後のＩＰアドレスをＮＦＣタグ２４３の第１レコード２４３ａに設定し、以降、第２レコード２４３ｂ〜第４レコード２４３ｄに、順に変更後のＳＳＩＤ、変更後のパスワード及び変更後のセキュリティ種別情報を格納する（Ｓ２４３〜Ｓ２４５）。
【０１４４】
図５５は、ＭＦＰ２４０の画面表示制御部２５７が行なう画面画像表示切替処理を示すフローチャートである。
操作部１８０に表示される画面画像が切り替わる度に、このフローが実行される。
先ず、画面表示制御部２５７は、ＮＦＣタグ２４３内の第５レコード２４３ｅ及び第６レコード２４３ｆの値を初期化する（Ｓ２５０）。具体的には、画面表示制御部２５７は、ＮＦＣタグ２４３の第５レコード２４３ｅには空の文字列を、第６レコード２４３ｆには自機を示す「０」を設定する。
【０１４５】
次に、画面表示制御部２５７は、操作部１８０に表示される具体的な画面画像を特定する（Ｓ２５１）。表示される画面画像がコピー待機画面画像８１である場合には（Ｓ２５２）、処理はステップＳ２５３に進み、表示される画面画像がメニュー設定変更画面画像８２である場合には（Ｓ２５２）、処理はステップＳ２５５に進む。尚、表示される画面画像がコピー待機画面画像８１又はメニュー設定変更画面画像８２ではない場合には（Ｓ２５２）、画面表示制御部２５７は、何もせずに処理を終了する。
【０１４６】
ステップＳ２５３では、画面表示制御部２５７は、インターネットに公開されているオンラインマニュアルのコピー機能を説明するＷｅｂページに該当するＵＲＬ、言い換えると、コピー操作説明画面画像ＩＭ３を表示するためのＵＲＬを、ＮＦＣタグ２４３の第５レコード２４３ｅに設定する。
そして、画面表示制御部２５７は、ＮＦＣタグ２４３の第６レコード２４３ｆに、白機／他機情報として他機を示す「１」を設定する（Ｓ２５４）。
【０１４７】
ステップＳ２５５では、画面表示制御部２５７は、自装置のＷｅｂサーバ部１５８が提供するＷｅｂページに該当するＵＲＬを、言い換えると、メニュー変更画面画像ＩＭ４を表示するためのＵＲＬを、ＮＦＣタグ２４３の第５レコード２４３ｅに設定する。
また、画面表示制御部２５７は、ＮＦＣタグ２４３の第６レコード２４３ｆに、自機／他機情報として自機を示す「０」を設定する（Ｓ２５６）。
【０１４８】
図５６は、モバイル端末２１０のＮＦＣタグ検出部２２５が電源投入時に行なう初期化処理を示すフローチャートである。
ＮＦＣタグ検出部２２５は、記憶部２３０に記憶されているＮＦＣタグ検知時コードバック関数ポインタの値を初期化する（Ｓ２６０）。具体的には、ＮＦＣタグ検出部２２５は、その値として「０（ＮＵＬＬ）」を設定する。
尚、実施の形態２においては、操作ガイドＡＰ１２３及びかざして印刷ＡＰ１２４がインストールされた場合、並びに、これらが起動された場合において特別な処理は存在しない為、説明を省略する。
【０１４９】
図５７は、モバイル端末２１０のＡＰ制御部２２１が行なう表示ＡＰ切替処理を示すフローチャートである。
この処理は、ユーザ又はモバイル端末２１０の都合でモバイル端末２１０の表示部１１３に表示するＡＰが切り替わる度に実行される。
【０１５０】
先ず、ＡＰ制御部２２１は、ＮＦＣタグ検出部２２５に、記憶部２３０のＮＦＣタグ検知時コールバック関数ポインタを登録する領域を未登録状態にさせる（Ｓ２７０）。具体的には、ＮＦＣタグ検出部２２５は、ＮＦＣタグ検知時コードバック関数ポインタの値として「０（ＮＵＬＬ）」を設定する。
【０１５１】
次に、ＡＰ制御部２２１は、表示部１１３の最前面に表示するＡＰを確認する（Ｓ２７１）。最前面に表示されるＡＰが操作ガイドＡＰ１２３である場合には、処理はステップＳ２７２に進み、最前面に表示されるＡＰがかざして印刷ＡＰ１２４である場合には、処理はステップＳ２７３に進む。
【０１５２】
ステップＳ２７２では、ＡＰ制御部２２１は、ＮＦＣタグ検出部２２５に、記憶部２３０のＮＦＣタグ検知時コールバック関数ポインタを登録する領域に、操作ガイドＡＰ用のコールバック関数へのポインタを登録させる。
一方、ステップＳ２７３では、ＡＰ制御部２２１は、ＮＦＣタグ検出部２２５に、記憶部２３０のＮＦＣタグ検知時コールバック関数ポインタを登録する領域に、かざして印刷ＡＰ用のコールバック関数へのポインタを登録させる。
【０１５３】
図５８は、ＮＦＣタグ検出部２２５が実行するメイン処理を示すフローチャートである。
ＮＦＣタグ検出部２２５は、ＮＦＣ  Ｉ／Ｆ部２１１を介して、ＮＦＣタグ２４３の検出を待機する（Ｓ２８０）。そして、ＮＦＣタグ２４３が検出された場合には（Ｓ２８１でＹｅｓ）、処理はステップＳ２８２に進む。
【０１５４】
ステップＳ２８２では、ＮＦＣタグ検出部２２５は、記憶部２３０にＮＦＣタグ検知時コールバック関数ポインタが登録されているか否かを確認する（Ｓ２８２）。ＮＦＣタグ検知時コールバック関数ポインタが登録されていない場合（０の場合）には（Ｓ２８３）、ＮＦＣタグ検出部２２５は、何もせずに処理を終了する。ＮＦＣタグ検知時コールバック関数ポインタが登録されている場合には（Ｓ２８３）、処理はステップＳ２８４に進む。
【０１５５】
ステップＳ２８４では、ＮＦＣタグ検出部２２５は、ＮＦＣタグ検知時コールバック関数ポインタの値に基づいて、操作ガイドＡＰ１２３又はかざして印刷ＡＰ１２４にコールバック処理を行わせる。
【０１５６】
図５９は、操作ガイドＡＰ１２３用のコールバック処理を示すフローチャートである。
このフローは、ＮＦＣタグ検出部２２５から実行される。
先ず、操作ガイドＡＰ１２３は、ＮＦＣ  Ｉ／Ｆ部２１１及びＮＦＣ  Ｉ／Ｆ部２４１を介して読み出したＮＦＣタグ２４３の第５レコード２４３ｅの値を参照する（Ｓ２９０）。この第５レコード２４３ｅに値が格納されていない場合には（Ｓ２９１）、操作ガイドＡＰ１２３は、何もせずに処理を終了する。この第５レコード２４３ｅに値が格納されている場合には（Ｓ２９１）、処理はステップＳ２９２に進む。
【０１５７】
ステップＳ２９２では、操作ガイドＡＰ１２３は、ＮＦＣタグ２４３の第６レコード２４３ｆの値を参照する。この第６レコード２４３ｆの値が「０（自機）」である場合には（Ｓ２９３）、処理はステップＳ２９４に進み、この第６レコード２４３ｆの値が「１（他機）」である場合には（Ｓ２９３）、処理はステップＳ２９５に進む。
【０１５８】
ステップＳ２９４では、操作ガイドＡＰ１２３は、ＮＦＣタグ２４３の第１レコード２４３ａから第４レコード２４３ｄの値に基づいて、ＭＦＰ２４０との間でＷｉＦｉダイレクト接続を行なう。そして、処理はステップＳ２９５に進む。
【０１５９】
ステップＳ２９５では、操作ガイドＡＰ１２３は、ＮＦＣタグ２４３の第５レコード２４３ｅで示されるＵＲＬにアクセスし、そのＷｅｂページの画像を、Ｗｅｂブラウザを用いて表示部１１３に表示する。尚、ＮＦＣタグ２４３の第６レコード２４３ｆの値が「１（他機）」である場合には、操作ガイドＡＰ１２３は、新たなＷｉＦｉ接続を確立する必要はなく、既に接続されているアクセスポイントを介して、通信を行えばよい。
ここで表示される画像は、ステップＳ２９４を経由した場合には、例えば、図１２に示されているメニュー変更画面画像ＩＭ４である。一方、ステップＳ２９４を経由していない場合には、表示される画像は、図１１に示されているコピー操作説明画面画像ＩＭ３である。
【０１６０】
図６０は、かざして印刷ＡＰ１２４用のコールバック処理を示すフローチャートである。
このフローは、ＮＦＣタグ検出部２２５から実行される。
まず、かざして印刷ＡＰ１２４は、ＮＦＣ  Ｉ／Ｆ部２１１及びＮＦＣ  Ｉ／Ｆ部２４１を介して読み出したＮＦＣタグ２４３の第１レコード２４３ａの値を参照する（Ｓ３００）。この第１レコード２４３ａに値が何も書き込まれていない（空の文宇列であった）場合には（Ｓ３０１）、かざして印刷ＡＰ１２４は、何もせずに処理を終了する。この第１レコード２４３ａに値が書き込まれている場合には（Ｓ３０１）、処理はステップＳ３０２に進む。
【０１６１】
ステップＳ３０２では、かざして印刷ＡＰ１２４は、ＮＦＣタグ２４３の第１レコード２４３ａ〜第４レコード２４３ｄまでの情報を読み出す。そして、かざして印刷ＡＰ１２４は、読み出した情報に基づいて、ＭＦＰ２４０との間でＷｉＦｉダイレクト接続を行なう。
【０１６２】
そして、かざして印刷ＡＰ１２４は、表示部１１３に表示されている印刷画像ＩＭ１を、ＷｉＦｉダイレクト印刷の仕組みで、ＭＦＰ２４０に対して印刷要求を行なう（Ｓ３０３）。
【０１６３】
以上のように、実施の形態２によれば、モバイル端末２１０がＭＦＰ２４０の状況を入手し、その情報とモバイル端末２１０の状況とを比較し、ユーザが一番所望するであろうモバイル端末２１０の振る舞いをモバイル端末２１０自体が判断することが出来る。ユーザは、モバイル端末２１０をＭＦＰ２４０にかざすだけで、エラー情報に限らずその時点でユーザが望む最適な情報を入手したり、機能を実行したりすることが出来る。
【０１６４】
以上に記載した実施の形態２では、操作ガイドＡＰ１２３及びかざして印刷ＡＰ１２４が、モバイル端末２１０とＭＦＰ２４０との間でＷｉＦｉダイレクト接続を行うと簡略して記述しているが、モバイル端末２１０に既に無線アクセスポイントが設定されており、かつ、ＭＦＰ２４０自体が無線アクセスポイントの機能を有しているような場合には、モバイル端末２１０が現在の無線アクセスポイントの設定を一旦保存しておき、ＭＦＰ２４０の無線アクセスポイントへ切り替えて必要な処理を実施した後、保存されている以前の無線アクセスポイントの設定へ戻すという処理が一般的となる。
【０１６５】
以上に記載した実施の形態１及び２では、画像形成装置としてＭＦＰ１４０、２４０を例に説明したが、実施の形態１及び２は、このような例に限定されない。例えば、画像形成装置は、プリンタ、複写機及びファクシミリ装置でもよい。
【符号の説明】
【０１６６】
１００，２００  通信システム、  １１０，２１０  モバイル端末、  １１１，２１１  ＮＦＣ  Ｉ／Ｆ部、  １１２  無線ＬＡＮ  Ｉ／Ｆ部、  １１３  表示部、  １１４  入力部、  １２０，２２０  制御部、  １２１，２２１  ＡＰ制御部、  １２２  認証ＡＰ、  １２３  操作ガイドＡＰ、  １２４  かざして印刷ＡＰ、  ２２５  ＮＦＣタグ検出部、  １３０  ＮＤＥＦメッセージ領域、  ２３０  記憶部、  １４０，２４０  ＭＦＰ、  １４１，２４１  ＮＦＣ  Ｉ／Ｆ部、  １４２  無線ＬＡＮ  Ｉ／Ｆ部、  ２４３  ＮＦＣタグ、  １５０，２５０  制御部、  １５１  端末検知部、  １５２  動作状況特定部、  １５３  書込部、  １５４  端末情報制御部、  １５５，２５５  情報初期化部、  １５６，２５６  メニュー項目管理部、  １５７，２５７  画面表示制御部、  １５８  Ｗｅｂサーバ部、  １５９  印刷制御部、  １７０  記憶部、  １８０  操作部、  １８１  印刷部、  １９０  メモリ、  １９１  プロセッサ、  １９２  処理回路。
【図１】
2018052002.tif 000003
【図２】
2018052002.tif 000004
【図３】
2018052002.tif 000005
【図４】
2018052002.tif 000006
【図５】
2018052002.tif 000007
【図６】
2018052002.tif 000008
【図７】
2018052002.tif 000009
【図８】
2018052002.tif 000010
【図９】
2018052002.tif 000011
【図１０】
2018052002.tif 000012
【図１１】
2018052002.tif 000013
【図１２】
2018052002.tif 000014
【図１３】
2018052002.tif 000015
【図１４】
2018052002.tif 000016
【図１５】
2018052002.tif 000017
【図１６】
2018052002.tif 000018
【図１７】
2018052002.tif 000019
【図１８】
2018052002.tif 000020
【図１９】
2018052002.tif 000021
【図２０】
2018052002.tif 000022
【図２１】
2018052002.tif 000023
【図２２】
2018052002.tif 000024
【図２３】
2018052002.tif 000025
【図２４】
2018052002.tif 000026
【図２５】
2018052002.tif 000027
【図２６】
2018052002.tif 000028
【図２７】
2018052002.tif 000029
【図２８】
2018052002.tif 000030
【図２９】
2018052002.tif 000031
【図３０】
2018052002.tif 000032
【図３１】
2018052002.tif 000033
【図３２】
2018052002.tif 000034
【図３３】
2018052002.tif 000035
【図３４】
2018052002.tif 000036
【図３５】
2018052002.tif 000037
【図３６】
2018052002.tif 000038
【図３７】
2018052002.tif 000039
【図３８】
2018052002.tif 000040
【図３９】
2018052002.tif 000041
【図４０】
2018052002.tif 000042
【図４１】
2018052002.tif 000043
【図４２】
2018052002.tif 000044
【図４３】
2018052002.tif 000045
【図４４】
2018052002.tif 000046
【図４５】
2018052002.tif 000047
【図４６】
2018052002.tif 000048
【図４７】
2018052002.tif 000049
【図４８】
2018052002.tif 000050
【図４９】
2018052002.tif 000051
【図５０】
2018052002.tif 000052
【図５１】
2018052002.tif 000053
【図５２】
2018052002.tif 000054
【図５３】
2018052002.tif 000055
【図５４】
2018052002.tif 000056
【図５５】
2018052002.tif 000057
【図５６】
2018052002.tif 000058
【図５７】
2018052002.tif 000059
【図５８】
2018052002.tif 000060
【図５９】
2018052002.tif 000061
【図６０】
2018052002.tif 000062